(57)【要約】【課題】筆記途中および筆記完了後の筆記物についても筆記者の本人性確認を可能とする。【解決手段】筆記座標を取得し筆記データとして格納する筆記読み取り部１３０と、筆記座標の取得開始に応じ開始通知を情報処理装置に送り、筆記座標の取得終了に応じ終了通知を情報処理装置に送る筆記時期通知部１３１と、取得要求に応じた生体情報取得と当該取得時の筆記座標取得等を実行し生体情報データとして格納する取得完了通知部１３２と、筆記データ群および生体情報データ群を情報処理装置に送るデータ送信部１３３とを有する電子ペン１００と、生体情報の取得要求の送信等を前記終了通知を受信するまで繰り返し実行するデータ取得指示部１０と、電子ペンより筆記データ群および生体情報データ群を受信して筆記座標群より筆跡画像を生成し、認証処理の結果を示す表示データが配置された筆跡画像を出力部に表示する結果表示部２０とを有する情報処理装置５０とから筆記者判定システム１を構成する。【選択図】図１
2011018127.tif 000002
【特許請求の範囲】
【請求項１】
電子ペンと、電子ペンユーザの生体情報を予め記憶部に保持している情報処理装置とが通信可能に結ばれたコンピュータシステムであり、
前記電子ペンが、
筆記者による把持箇所に備わる生体情報センサと、
所定用紙での前記筆記者による筆記内容を光学装置で読み取って筆記座標を取得し、この筆記座標と当該筆記座標の取得時刻とを含む筆記データを記憶部に格納する筆記読み取り部と、
前記筆記座標の取得開始に応じて、筆記座標取得の開始通知を情報処理装置に送信し、前記筆記座標の取得終了に応じて、筆記座標取得の終了通知を情報処理装置に送信する、筆記時期通知部と、
前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する取得完了通知部と、
前記記憶部より前記筆記者に関する筆記データ群および生体情報データ群を読み出して情報処理装置に送信する、データ送信部とを備え、
前記情報処理装置が、
電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行するデータ取得指示部と、
前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する結果表示部とを備える、
ことを特徴とする筆記者判定システム。
【請求項２】
前記電子ペンの筆記時期通知部は、
新たな筆記座標の取得が一定時間無いことの検知、前記記憶部への新たな筆記データの格納が一定時間無いことの検知、電子ペンに備わる筆圧センサでの測定筆圧が基準値まで低下したことの検知、電子ペンに備わる所定インターフェイスでの筆記終了の指示受付のいずれかを契機にして前記筆記座標取得の終了通知を情報処理装置に送信する、
ことを特徴とする請求項１に記載の筆記者判定システム。
【請求項３】
前記情報処理装置の結果表示部は、
情報処理装置に備わる入力部にて、筆記者の本人性確認依頼を受け付けた時に、前記記憶部に格納されている、前記筆記データ群および前記生体情報データ群を読み出して、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する、
ことを特徴とする請求項１または２に記載の筆記者判定システム。
【請求項４】
筆記者による把持箇所に生体情報センサを備え、情報処理装置と通信可能な電子ペンが、
所定用紙での前記筆記者による筆記内容を光学装置で読み取って筆記座標を取得し、この筆記座標と当該筆記座標の取得時刻とを含む筆記データを記憶部に格納する処理と、
前記筆記座標の取得開始に応じて、筆記座標取得の開始通知を情報処理装置に送信し、前記筆記座標の取得終了に応じて、筆記座標取得の終了通知を情報処理装置に送信する処理と、
前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する処理と、
前記記憶部より前記筆記者に関する筆記データ群および生体情報データ群を読み出して情報処理装置に送信する処理を実行し、
電子ペンユーザの生体情報を予め記憶部に保持している情報処理装置が、
電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行する処理と、
前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する処理を実行する、
ことを特徴とする筆記者判定方法。
【請求項５】
電子ペン対応用紙への記入内容を読み取る光学装置と、
他装置と通信を行う通信インターフェイスと、
筆記者による把持箇所に備わる生体情報センサと、
所定用紙での前記筆記者による筆記内容を光学装置で読み取って筆記座標を取得し、この筆記座標と当該筆記座標の取得時刻とを含む筆記データを記憶部に格納する筆記読み取り部と、
前記筆記座標の取得開始に応じて、筆記座標取得の開始通知を情報処理装置に送信し、前記筆記座標の取得終了に応じて、筆記座標取得の終了通知を情報処理装置に送信する、筆記時期通知部と、
前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する取得完了通知部と、
前記記憶部より前記筆記者に関する筆記データ群および生体情報データ群を読み出して情報処理装置に送信する、データ送信部と、
を備えることを特徴とする電子ペン。
【請求項６】
電子ペンユーザの生体情報を予め記憶する記憶部と、
他装置と通信を行う通信部と、
電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行するデータ取得指示部と、
前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する結果表示部と、
を備えることを特徴とする情報処理装置。
【発明の詳細な説明】
【技術分野】
【０００１】
本発明は、筆記者判定システム、筆記者判定方法、電子ペン、および情報処理装置に関するものであり、具体的には、筆記途中および筆記完了後の筆記物についても筆記者の本人性確認を可能とする技術に関する。
【背景技術】
【０００２】
本人確認つまり個人認証の方法としては所有物認証（例：運転免許証等の各種証明書の確認）、知識認証（例：入力パスワードの確認）、生体認証（例：指紋の照合等）といった手法が存在する。こうした認証手法のなかで生体認証は、本人固有の特徴により個人認証をおこなうため、所有物認証や知識認証と違い偽造・盗用等の危険が少なく、本人確認の有効な手段とされている。この生体認証の代表的なものに、指静脈の照合による認証がある。この指静脈の照合による認証は、現在既に広範な業務において実用化されており、生体認証のなかでも簡便な個人認証手段として種々のプログラム等が開発され利用されている。
【０００３】
例えば、コンピュータ操作に習熟していない対象者を含む電子決裁処理において、決裁順序を保って処理の高速化を可能とする、端末と電子決裁サーバとデジタルペンサーバと認証サーバとがネットワークにより接続された電子決裁システムであって、前記電子決裁サーバは、予めユーザＩＤとユーザの情報入力手段を示す情報とを対応付けて記憶する入力手段データベースと、前記端末から前記ネットワークを介してユーザＩＤを受信すると、該ユーザＩＤと前記入力手段データベースの情報に基づいてユーザの情報入力手段がデジタルペン入力か端末入力かを判定する判定手段と、を備えたことを特徴とする電子決裁システム（特許文献１参照）などが提案されている。
【０００４】
また、本人成り済ましを防止して契約等を確実・円滑化することを目的に、契約書等に署名等する者が署名等する際、確実に本人が署名等しているということを筆記中、その場にいる契約の相手方や契約があったことの証人となるべき第三者等本人以外の当事者又は第三者に視覚的または聴覚的に知らしめ、本人確認を確実・容易にすることができる本人確認筆記具（特許文献２参照）なども提案されている。
【先行技術文献】
【特許文献】
【０００５】
【特許文献１】特開２００８−３３５８７号公報
【特許文献２】特開２００６−５１７４３号公報
【発明の概要】
【発明が解決しようとする課題】
【０００６】
例えば、本人性を担保する必要があるデータ入力の前後に本人認証を実施する場合、実際にデータ入力など筆記を行った者と本人認証を受けた者とが異なる可能性を排除できない。つまり筆記者ないし被認証者について成りすましを防ぐことができず、入力データの本人性が揺らぎやすい。また、例えば筆記開始に合わせて電子ペンにて本人確認を行うとしても、筆記中の認証データを保持しない場合、筆記開始以後の筆記物に関して本人性を確認することが出来ない。  
そこで本発明は上記課題を鑑みてなされたものであり、筆記途中および筆記完了後の筆記物についても筆記者の本人性確認を可能とする技術の提供を主たる目的とする。
【課題を解決するための手段】
【０００７】
上記課題を解決する本発明の筆記者判定システムは、電子ペンと、電子ペンユーザの生体情報を予め記憶部に保持している情報処理装置とが通信可能に結ばれたコンピュータシステムである。
【０００８】
このコンピュータシステムにおける前記電子ペンは、筆記者による把持箇所に備わる生体情報センサと、所定用紙での前記筆記者による筆記内容を光学装置で読み取って筆記座標を取得し、この筆記座標と当該筆記座標の取得時刻とを含む筆記データを記憶部に格納する筆記読み取り部と、前記筆記座標の取得開始に応じて、筆記座標取得の開始通知を情報処理装置に送信し、前記筆記座標の取得終了に応じて、筆記座標取得の終了通知を情報処理装置に送信する、筆記時期通知部と、前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する取得完了通知部と、前記記憶部より前記筆記者に関する筆記データ群および生体情報データ群を読み出して情報処理装置に送信する、データ送信部とを備えている。
【０００９】
また、前記コンピュータシステムにおける情報処理装置は、電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行するデータ取得指示部と、前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する結果表示部とを備える。
【００１０】
また、本発明の筆記者判定方法は、筆記者による把持箇所に生体情報センサを備え、情報処理装置と通信可能な電子ペンと、電子ペンユーザの生体情報を予め記憶部に保持している情報処理装置がそれぞれ以下の処理を実行することを特徴とする。
【００１１】
すなわち前記電子ペンが、所定用紙での前記筆記者による筆記内容を光学装置で読み取って筆記座標を取得し、この筆記座標と当該筆記座標の取得時刻とを含む筆記データを記憶部に格納する処理と、前記筆記座標の取得開始に応じて、筆記座標取得の開始通知を情報処理装置に送信し、前記筆記座標の取得終了に応じて、筆記座標取得の終了通知を情報処理装置に送信する処理と、前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する処理と、前記記憶部より前記筆記者に関する筆記データ群および生体情報データ群を読み出して情報処理装置に送信する処理を実行する。
【００１２】
また前記情報処理装置が、電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行する処理と、前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する処理を実行する。
【００１３】
また、本発明の電子ペンは、電子ペン対応用紙への記入内容を読み取る光学装置と、他装置と通信を行う通信インターフェイスと、筆記者による把持箇所に備わる生体情報センサと、所定用紙での前記筆記者による筆記内容を光学装置で読み取って筆記座標を取得し、この筆記座標と当該筆記座標の取得時刻とを含む筆記データを記憶部に格納する筆記読み取り部と、前記筆記座標の取得開始に応じて、筆記座標取得の開始通知を情報処理装置に送信し、前記筆記座標の取得終了に応じて、筆記座標取得の終了通知を情報処理装置に送信する、筆記時期通知部と、前記開始通知の送信後、生体情報の取得要求を情報処理装置より受信した時、これに応じて前記生体情報センサによる前記把持箇所にある筆記者の生体部位の生体情報取得と、当該生体情報の取得時における筆記座標の前記光学装置からの取得とを実行し、前記生体情報およびこれに紐付いた筆記座標と、当該生体情報の取得時刻とを含む生体情報データを記憶部に格納し、生体情報の取得完了通知を情報処理装置に返信する取得完了通知部と、前記記憶部より前記筆記者に関する筆記データ群および生体情報データ群を読み出して情報処理装置に送信する、データ送信部と、を備えることを特徴とする。
【００１４】
また、本発明の情報処理装置は、電子ペンユーザの生体情報を予め記憶する記憶部と、他装置と通信を行う通信部と、電子ペンより筆記座標取得の開始通知を受信した時、前記電子ペンに対する生体情報の取得要求の送信と、当該取得要求に応じて前記電子ペンより返信されてくる生体情報の取得完了通知の受信とを、前記電子ペンより筆記座標取得の終了通知を受信するまで、予め定めた所定間隔で繰り返し実行するデータ取得指示部と、前記電子ペンより送信される前記筆記データ群および前記生体情報データ群を受信して記憶部に格納し、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する結果表示部と、を備えることを特徴とする。
【００１５】
その他、本願が開示する課題、及びその解決方法は、発明の実施の形態の欄、及び図面により明らかにされる。
【発明の効果】
【００１６】
本発明によれば、筆記途中および筆記完了後の筆記物についても筆記者の本人性確認が可能となる。
【図面の簡単な説明】
【００１７】
【図１】本実施形態の筆記者判定システムの概略構成を示す図である。
【図２】本実施形態の電子ペンの概略構成を示す図である。
【図３】本実施形態の電子ペンにおける可動式スイッチ周辺の概略構成を示す図である。
【図４】本実施形態の電子ペンの内部構造に関する概略構成を示す図である。
【図５】本実施形態の処理端末の概略構成を示す図である。
【図６】本実施形態の管理サーバの概略構成を示す図である。
【図７】本実施形態のＤＢサーバの概略構成を示す図である。
【図８】本実施形態のユーザ情報ＤＢのデータ例を示す図である。
【図９】本実施形態の静脈データＤＢのデータ例を示す図である。
【図１０】本実施形態の管理者ＩＤパスワードＤＢのデータ例を示す図である。
【図１１】本実施形態の座標・静脈データ登録ＤＢのデータ例を示す図である。
【図１２】本実施形態の静脈データ判別情報ＤＢのデータ例を示す図である。
【図１３】本実施形態の身分証明書ＤＢのデータ例を示す図である。
【図１４】本実施形態の用途ＤＢのデータ例を示す図である。
【図１５】本実施形態のログイン情報ＤＢのデータ例を示す図である。
【図１６】本実施形態の座標データ取得情報ＤＢのデータ例を示す図である。
【図１７】本実施形態の静脈データ取得情報ＤＢのデータ例を示す図である。
【図１８】本実施形態の使用ユーザ情報ＤＢのデータ例を示す図である。
【図１９】本実施形態の筆記者判定方法の処理フロー例１を示す図である。
【図２０】本実施形態の筆記者判定方法の処理フロー例２を示す図である。
【図２１】本実施形態の筆記者判定方法の処理フロー例３を示す図である。
【図２２】本実施形態の筆記者判定方法の処理フロー例４を示す図である。
【図２３】本実施形態の筆記者判定方法の処理フロー例５を示す図である。
【図２４】本実施形態の筆記者判定方法の処理フロー例６を示す図である。
【図２５】本実施形態の筆記者判定方法の処理フロー例７を示す図である。
【図２６】本実施形態の筆記者判定方法の処理フロー例８を示す図である。
【図２７】本実施形態における画面例１を示す図である。
【図２８】本実施形態における画面例２を示す図である。
【図２９】本実施形態における画面例３を示す図である。
【図３０】本実施形態における画面例４を示す図である。
【図３１】本実施形態における画面例５を示す図である。
【図３２】本実施形態における画面例６を示す図である。
【図３３】本実施形態における画面例７を示す図である。
【図３４】本実施形態における画面例８を示す図である。
【発明を実施するための形態】
【００１８】
−−−システム構成−−−
以下に本発明の実施形態について図面を用いて詳細に説明する。図１は、本実施形態の筆記者判定システム１を含むネットワーク構成図である。図１に示す筆記者判定システム１（以下、システム１）は、筆記途中および筆記完了後の筆記物についても筆記者の本人性確認を可能とするコンピュータシステムである。本実施形態では、前記システム１の適用例として、利用者の静脈情報等の生体情報の認証や筆記データ登録および認証、筆記者特定を行う認証管理サーバ群（管理サーバ３００、ＤＢサーバ４００）と、筆記者の筆記に用いられる電子ペン１００と、当該電子ペン１００と前記認証管理サーバ群とのデータ授受を仲介する処理端末２００とから前記システム１を構成する状況を想定する。この場合、前記認証管理サーバ群の運営や管理を行うのが部門Ａ、筆記者が訪れて筆記を行う際の窓口となるのが部門Ｂ（店舗、司法書士事務所、各種公共施設等）、前記筆記者が部門Ｃとなる。
【００１９】
例えば、クレジットカードを使用する場合、商品を購入する購入者が商品代金をクレジットカードで支払うべく、購入者本人がサインを行う。この際、商品購入先の店舗は購入者のサインを保存する。ここで、前記購入者は部門Ｃとなり、店舗は部門Ｂとなり、静脈情報を管理し、購入者の特定等を行うのが部門Ａとなる。部門Ａのサーバ群はインターネット等のＷＡＮ回線３０を介して部門Ｂの処理端末２００と結ばれている。部門Ｂの処理端末２００で電子ペン１００から取得した静脈情報と筆記情報は、前記部門Ｂの処理端末２００から前記部門Ａのサーバ群に転送される。前記部門Ａのサーバ群では、前記処理端末２００から得たデータ類を保管・管理し、筆記者に関する証明書として保持する。
【００２０】
ただし上記の想定例のみならず、電子ペン１００を用いて筆記がなされる様々な状況に本発明は適用してよい。また本実施形態では、「情報処理装置」として、前記処理端末２００、管理サーバ３００、およびＤＢサーバ４００らの装置群を想定したが、前記処理端末２００が前記管理サーバ３００およびＤＢサーバ４００の機能やデータを全て備えて、単体で「情報処理装置」をなすとしてもよい。
【００２１】
−−−電子ペン−−−
前記システム１を構成する装置のうち、まずは電子ペン１００について説明する。図２は、本実施形態の電子ペン１００の概略構成を示す図である。図２で示すように、前記電子ペン１００は、クロック機能１０５、電池１１０、バイブレータ１１１、ＬＥＤインジケータ１１２、圧力センサー１１３、光学ユニット１１４（＝生体情報センサ）、撮像部１１５、赤外線ライトなどの光源１１６、可動式スイッチ部１１７で主として構成されている。
【００２２】
前記バイブレータ１１１および前記ＬＥＤインジケータ１１２は、電子ペン１００における出力インターフェイス１４２に該当し、例えば、筆記可能状態か否かを示す情報を出力する装置となる。前記圧力センサー１１３は、例えば筆圧を検知するセンサである。また前記光学ユニット１１４は、電子ペン対応用紙５に筆記がなされた際の筆記座標を取得する、電子ペンとして当然の機能である。
【００２３】
また、前記撮像部１１５、光源１１６は、当該電子ペンを把持して筆記中の筆記者の指静脈を読み取る装置となる。前記光源１１６は、例えば赤外線ライト等であり、前記撮像部１１５の動作中に筆記者の指に光を照射して静脈撮影の光源を提供する。撮像部１１５は、この光源１１６で光が照射された指静脈の撮影を行うこととなる。
【００２４】
また、前記可動式スイッチ部１１７は、筆記者が筆記開始時に指で押し込んで使用する装置であり、認証開始を検知するスイッチとなる。図３は、本実施形態の電子ペン１００における可動式スイッチ周辺の概略構成を示す図である。筆記中の筆記者の指について、その静脈情報を読み取る機構は、図３に示すように電子ペン１００のグリップ部分＝把持箇所に配置されている。
【００２５】
このグリップ部分は、筆記者が電子ペン１００を握った際に人差し指や親指といった手指の一部が当接され、その静脈情報など生体情報をセンシング可能な位置に当たる。図中の（ａ）、（ｂ）に示すように、前記可動式スイッチ部１１７において、筆記者の手指がペンと直接接触する箇所を光を透過するガラス板１１９とし、このガラス板１１９をヒンジ３で回転可能に電子ペン本体と接続している。前記ガラス板１１９は前記ヒンジ３により、スイッチ１１８に接触するまで下方に動かすことが出来る。
【００２６】
この場合、前記撮像部１１５および光源１１６は、前記ガラス板１１９の回転後の傾斜に合わせ、前記ガラス板１１９と対面すべく傾斜をつけて設置されている。前記ガラス板１１９が回転して前記スイッチ１１８を下方に押し込んでスイッチがオン状態となった時、前記撮像部１１５は筆記者の手指が当接されたガラス板１１９と正対する。なお、前記スイッチ１１８は、前記電池１１０と撮像部１１５や光源１１６との間のオン・オフを切り替えるスイッチである。当該スイッチ１１８が前記ガラス板１１９により押されている間は「オン」状態となって、その結果、前記電池１１０から前記撮像部１１５や光源１１６へ駆動電流が供給される。駆動電流が供給された前記撮像部１１５や光源１１６は、指静脈情報の読み取り動作が可能となる。なお、前記電池１１０は、電源装置１２６に組み込まれている。この電源装置１２６が前記スイッチ１１８でのオン・オフを受けて、電池１１０から前記撮像部１１５や光源１１６への電流供給を管理する。
【００２７】
前記電子ペン１００は、そのほか図４に示す構造を備えている。前記電子ペン１００は通信部１２５を備えており、この通信部１２５により（例：前記通信部１２５における通信プロトコルに応じてケーブル３１で直接接続された）前記処理端末２００と接続される。また前記電子ペン１００は、必要な機能を備えるべく記憶部１２４に格納されたプログラム１４０をメモリ１２２に読み出し、演算装置たるＣＰＵ１２３により実行する。
【００２８】
また、前記電子ペン１００は、ボタン等の入力インターフェイス１４１、ごく小型の液晶ディスプレイやスピーカ、前記バイブレータ１１１、ＬＥＤインジケータ１１２などの出力インターフェイス１４２を有している。また、電子ペンとして、電子ペン対応用紙５への記入内容を読み取るべく撮像部１２０および光源１２１を当然に備えている。この撮像部１２０と光源１２１が図２の光学ユニット１１４となる。なお、前記撮像部１２０で読み取った記入内容のデータは前記記憶部１２４ないしメモリ１２２に蓄積される。なお、電子ペン１００および電子ペン対応用紙５の基本技術は既存のもの（http://functionality.anoto.co.jp/cldoc/ajp24.htmなど参照）を適用すればよい。
【００２９】
この電子ペン対応用紙５にはドット１２７が配置されている。各ドット１２７は電子ペン対応用紙５の座標平面における座標情報を表している。このドット１２７が配置された電子ペン対応用紙５において、前記電子ペン１００の筆記具１２８による筆記がなされた場合、前記光学ユニット１１４（撮像部１２０および光源１２１）が筆記時に通過したドット１２７を読み取り、その座標情報を取得する。なお、前記筆記具１２８はノート等に記述を行うための、ボールペンなど一般筆記具である。
【００３０】
続いて、前記電子ペン１００が、例えばプログラム１４０に基づき構成・保持する手段につき説明を行う。前記電子ペン１００は、前記処理端末２００とのデータの送受信制御や、静脈画像の取得制御、文字データ取得取得制御、筆記状態確認の制御を行う、データ取得管理部１２９を備える。
【００３１】
また、前記電子ペン１００は、電子ペン対応用紙５の筆記者による筆記内容を前記光学ユニット１１４（光学装置）で読み取って筆記座標を取得し、この筆記座標と当該筆記座標の取得時刻とを含む筆記データを前記記憶部１２４に格納する筆記読み取り部１３０を備える。なお、前記筆記座標の取得時刻については、この筆記読み取り部１３０が前記クロック機能１０５に時刻問い合わせを行って時刻情報を取得する。
【００３２】
また、前記電子ペン１００は、前記筆記座標の取得開始に応じて、筆記座標取得の開始通知を情報処理装置５０の前記処理端末２００に送信し、前記筆記座標の取得終了に応じて、筆記座標取得の終了通知を情報処理装置５０に送信する、筆記時期通知部１３１を備える。
【００３３】
なお、前記筆記時期通知部１３１は、新たな筆記座標の取得が一定時間無いことの検知、前記記憶部１２４への新たな筆記データの格納が一定時間無いことの検知、電子ペン１００に備わる圧力センサー１１３（＝筆圧センサ）での測定筆圧が基準値まで低下したことの検知、電子ペン１００に備わる所定インターフェイス（前記スイッチ１１８など）での筆記終了の指示受付のいずれかを契機にして前記筆記座標取得の終了通知を情報処理装置５０に送信するとすれば好適である。
【００３４】
また、前記電子ペン１００は、前記開始通知の送信後、生体情報の取得要求を情報処理装置５０より受信した時、これに応じて前記生体情報センサ（前記撮像部１１５及び光源１１６）による前記把持箇所にある筆記者の生体部位の生体情報取得と、当該生体情報の取得時における筆記座標の前記光学ユニット１１４からの取得とを実行し、前記生体情報およびこれに紐付いた筆記座標と、当該生体情報の取得時刻とを含む生体情報データを記憶部１２４に格納し、生体情報の取得完了通知を情報処理装置５０に返信する取得完了通知部１３２を備える。なお本実施形態では、前記生体情報の取得要求は、前記処理端末２００から受信し、前記生体情報の取得完了通知を前記処理端末２００に返信することとなる。
【００３５】
また、前記電子ペン１００は、前記記憶部１２４より前記筆記者に関する筆記データ群および生体情報データ群を読み出して情報処理装置５０に送信する、データ送信部１３３を備える。なお本実施形態では、前記筆記データ群および生体情報データ群を、前記処理端末２００経由で管理サーバ３００に送信することとなる。
【００３６】
−−−処理端末−−−
次に、前記電子ペン１００と共に、情報処理装置として筆記者判定システム１を構成する前記処理端末２００について説明する。図７は、処理端末２００の概略構成を示す図である。この処理端末２００は、前記電子ペン１００と所定の通信プロトコルに応じてケーブル３１で直接接続されたコンピュータ端末である。
【００３７】
前記処理端末２００は、ハードディスクドライブなどの不揮発性記憶装置たる記憶部２２４に格納されたプログラム２２５を、ＲＡＭなど揮発性のメモリ２２２に読み出すなどしてＣＰＵ２２３により実行する。また、前記処理端末２００は、コンピュータ装置が一般に備えている各種キーボードやボタン類などの入力装置２０６とのデータ授受を行う入力インターフェイス２０９、ディスプレイなどの出力装置２０５とデータ授受を行う表示部２０８を必要に応じて備えるとしてもよい。
【００３８】
また前記処理端末２００は、前記電子ペン１００との間でケーブル３１を介したデータ授受を担うＮＩＣ（Network Interface Card）など第１通信部２０１と、前記管理サーバ３００との間でＷＡＮ３０を介したデータ授受を担うＮＩＣ（Network Interface Card）など第２通信部２０７とを有している。各通信部２０１、２０７は、通信時のデータ暗号化処理など担うセキュリティ機能を備えている。
【００３９】
続いて、前記処理端末２００が、例えばプログラム２２５に基づき記憶部にて構成・保持する機能部につき説明を行う。前記処理端末２００は、前記電子ペン１００より筆記座標取得の開始通知を受信した時、前記電子ペン１００に対する生体情報の取得要求の送信と、当該取得要求に応じて前記電子ペン１００より返信されてくる生体情報の取得完了通知の受信とを、前記電子ペン１００より筆記座標取得の終了通知を受信するまで、予め定めた所定間隔で繰り返し実行するデータ取得指示部１０を備える。
【００４０】
また、前記処理端末２００は、前記電子ペン１００より送信される前記筆記データ群および前記生体情報データ群を受信して記憶部２２４に格納し、これを前記管理サーバ３００に送信する、結果表示部２０を備える。この結果表示部２０は、筆記者による筆跡画像中の各位置に、該当取得時刻での筆記座標に対応する生体情報の認証処理結果（管理サーバ３００およびＤＢサーバ４００で処理）を示す表示データが配置された画像を、前記管理サーバ３００から得て、前記表示部２０８を介してディスプレイ２０５に表示する。
【００４１】
なお、前記データ取得指示部１０は、データ要求機能部２０２およびデータ送信機能部２０４を備えている。前記データ要求機能部２０２は、前記管理サーバ３００および前記電子ペン１００に対し、筆記データや生体情報データ、筆記者の個人情報といった各種データの取得要求を行う。また、前記データ送信機能部２０４は、当該処理端末２００で取得した筆記者の個人情報や筆記データ等を、前記管理サーバ３００へ送信する。
【００４２】
また、前記結果表示部２０は、データ取得機能２０３、データ送信機能部２０４、画面表示機能部２０５を備えている。前記データ取得機能２０３は、筆記者による筆記中に前記電子ペン１００が取得・保存した筆記座標、指静脈データなどの生体情報、各種メッセージや処理結果、画像データ等を受信する。また、前記データ送信機能部２０４は、当該処理端末２００で取得した筆記者の個人情報や筆記データ等を、前記管理サーバ３００へ送信する。また、前記画面表示機能部２０５は、前記管理サーバ３００から取得した画面データの前記ディスプレイ２０５等への表示処理を行う。
【００４３】
−−−管理サーバ−−−
図５は、管理サーバ３００の概略構成を示す図である。一方、前記管理サーバ３００は、前記処理端末２００とインターネットなどのＷＡＮ３０で通信可能に結ばれたサーバ装置であり、筆記者によるシステムログインの処理や、筆記者の指静脈データなど生体情報に関する認証処理など、各種管理・認証の処理を実行するものとなる。
【００４４】
この管理サーバ３００は、ハードディスクドライブなどの不揮発性記憶装置たる記憶部３２４に格納されたプログラム３２５を、メモリ３２２などの揮発性メモリに読み出すなどしてＣＰＵ３２３により実行する。また、前記管理サーバ３００は、コンピュータ装置が一般に備えている各種キーボードやボタン類などの入力装置３０９とデータ授受を行う入力インターフェイス３１３、ディスプレイなどの出力装置３０８とデータ授受を行う表示部３１２を必要に応じて備えるとしてもよい。
【００４５】
また前記管理サーバ３００は、前記処理端末２００との間でインターネットなどのＷＡＮ３０を介したデータ授受を担うＮＩＣ（Network Interface Card）など通信機能を含むＨＴＴＰサーバ３０１と、前記ＤＢサーバ４００との間でＬＡＮ３５を介したデータ授受を担うＮＩＣ（Network Interface Card）など通信部３１１を有しており、前記処理端末２００およびＤＢサーバ４００と通信可能となっている。前記ＨＴＴＰサーバ３０１は、前記処理端末２００へ前記インターフェイス３０経由で機能提供するためのアプリケーションを保持している。また、このＨＴＴＰサーバ３０１は、各筆記者の個人情報を扱うため、ＳＳＬ認証等のセキュリティ機能を備えていても良い。
【００４６】
続いて、前記管理サーバ３００が、例えばプログラム３２５に基づき記憶部３２４にて構成・保持する機能部につき説明を行う。前記管理サーバ３００は、前記電子ペン１００より送信され、前記処理端末２００経由で受信した前記筆記データ群および前記生体情報データ群を受信して前記ＤＢサーバ４００の該当データベースに格納し、前記生体情報データ群が含む各生体情報を前記ＤＢサーバ４００で管理している生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を、前記処理端末２００に送信（ないし表示部３１２を介してディスプレイ３０８に表示）する結果表示部２０を備える。
【００４７】
この結果表示部２０には、データ要求機能部３０２、データ取得機能部３０３、データ変換機能部３０４、データＤＢ機能部３０５、生体情報認証機能部３０６、ログイン処理部３０７、個人情報管理機能部３１０が含まれている。前記データ要求機能部３０２は、前記処理端末２００の起動制御と、前記処理端末２００を介した前記電子ペン１００の起動制御を行い、筆記データや指静脈データの取得を開始させる制御や処理端末２００への静脈認証要求制御を行う。
【００４８】
また、前記データ取得機能部３０３は、前記処理端末２００および前記ＤＢサーバ４００からの各データを受信する制御を行う。また、前記データ変換機能部３０４は、筆記中の筆記座標群のデータを元に、筆記文字をイメージ情報に変換する処理を行う。また、筆記座標群のデータを元に、かな・漢字等へのテキストデータ変換制御を行う機能を持つとしてもよい。
【００４９】
また、前記データＤＢ機能部３０５は、前記ＤＢサーバ４００のデータ処理部４１５と通信を行い、筆記データ及び指静脈データをデータベースに記録する制御を行う。また、前記生体認証機能部３０６は、事前登録済の指静脈データと筆記中に取得した指静脈データとに基づいて、筆記データが筆記者本人による筆記に基づくものか判定する機能を保持する。また、前記ログイン処理部３０７は、前記処理端末２００から取得した情報をもとに前記ＤＢサーバ４００とログイン処理の制御を行う。また、前記個人情報管理機能部３１０は、個人情報の登録や検索の制御を行う機能を保持する。
【００５０】
−−−ＤＢサーバ−−−
図６は、ＤＢサーバ４００の概略構成を示す図である。このＤＢサーバ４００は、前記管理サーバ３００と協働して、筆記者の筆記データや生体情報、ログイン情報、個人情報などのＩ／Ｏ処理を行うサーバ装置である。このＤＢサーバ４００は、図６に示すように、前記ＬＡＮ３５により前記管理サーバ３００との通信可能であり、この管理サーバ３００から転送された各情報を格納するデータベース機能を提供する。
【００５１】
前記ＤＢサーバ４００は、ハードディスクドライブなどの不揮発性記憶装置たる記憶部４２４に格納されたプログラム４２５を、メモリ４２２などの揮発性メモリに読み出すなどしてＣＰＵ４２３により実行する。また、前記ＤＢサーバ４００は、コンピュータ装置が一般に備えている各種キーボードやボタン類などの入力装置４１４とデータ授受を行う入力インターフェイス４１７、ディスプレイなどの出力装置４１３とデータ授受を行う表示部４１６を必要に応じて備えるとしてもよい。また前記管理サーバ３００は、前記管理サーバ３００との間でＬＡＮ３５を介してデータ授受を担うＮＩＣ（Network Interface Card）など通信部４０１を有している。
【００５２】
このＤＢサーバ４００は、例えば、プログラム４２５で実現する処理部としてデータ処理部４１５を備えている。このデータ処理部４１５は、各種ＤＢのデータの更新、検索等の処理を行い、管理サーバ３００との間のデータ送受信の制御を行う。
【００５３】
また前記ＤＢサーバ４００は、前記記憶部４２４において、ユーザ情報ＤＢ４０２、静脈データＤＢ４０３、管理者ＩＤパスワードＤＢ４０４、座標・静脈データ登録ＤＢ４０５、静脈データ判別情報ＤＢ４０６、身分証明書ＤＢ４０７、用途ＤＢ４０８、ログイン情報ＤＢ０４０９、座標データ取得情報ＤＢ４１０、静脈データ取得情報ＤＢ４１１、使用ユーザ情報ＤＢ４１２の各データベースを備えている。各データベースのデータ構造等については後述する。
【００５４】
これまで示した前記システム１をなす、電子ペン１００における各部１２９〜１３３、同じく処理端末２００における各部１０、２０（２０２〜２０５）、同じく管理サーバ３００における各部２０（３０２〜３１０）、同じくＤＢサーバ４００におけるデータ処理部４１５らはハードウェアとして実現してもよいし、各装置におけるメモリやＨＤＤ（Ｈａｒｄ  Ｄｉｓｋ  Ｄｒｉｖｅ）などの適宜な記憶部に格納したプログラムとして実現するとしてもよい。この場合、各装置のＣＰＵなど演算装置がプログラム実行に合わせて記憶部より該当プログラムをメモリに読み出して、これを実行することとなる。
【００５５】
−−−データ構造例−−−
次に、本実施形態の前記システム１らが利用するデータベースのデータ構造例について説明する。図８〜図１８はＤＢサーバ４００中に構成するデータベースのデータ構成例である。図８に示すユーザ情報ＤＢ４０２は、筆記者判定の対象となる利用者＝筆記者の情報を登録するデータベースであり、利用者登録時に利用者にユニークに割り当てられるユーザＩＤ１００１をキーとして、利用者の個人情報である氏名１００２、生年月日１００３、住所１００４を対応付けたレコードの集合体となっている。前記個人番号１００５は、例えば、利用者登録時に使用した身分証明書記載の個人番号（保険証の番号、住基ＩＤ、免許証番号など）が格納される。また前記身分証明書種別１００６は、利用者登録時の使用身分証の種別を後述する身分証明書ＤＢ（図１３）で特定した値（種別６００１の値）が格納される。
【００５６】
また、図９に示す静脈データＤＢ４０３は、前記利用者の指静脈データを登録するデータベースであり、例えば、ユーザＩＤ２００１、氏名２００２（図８のユーザ情報ＤＢ４０２でのユーザＩＤ１００１、氏名１００２と同一の値が格納される）をキーとして、指静脈データたる第１画像〜第３画像が対応付けたレコードの集合体となっている。例えば前記利用者は、利用登録時に指静脈データを３回取得する。前記指静脈データは、前記電子ペン１００での前記グリップ部分に当接される手指と同じ手指の箇所についての指静脈データである。前記第１画像２００３は１回目に取得した指静脈データであり、第２画像２００４は２回目に取得した指静脈データであり、第３画像２００５は３回目に取得した指静脈データである。
【００５７】
図１０に示す管理者ＩＤパスワードＤＢ４０４は、前記処理端末２００を管理する管理者（電子ペン１００が設置された店舗等の管理者など）について情報を格納しておくデータベースである。このデータベース４０４は、例えば、管理者ＩＤ３００１をキーとして、パスワード３００２、場所情報３００３、および用途種別３００４といったデータが対応付けたレコードの集合体となっている。前記管理者ＩＤ３００１は、電子ペン１００と処理端末２００を設置している店舗や事務所等における処理端末２００の管理者に関しユニークに割り当てられた値である。また前記パスワード３００２は、前記管理者ＩＤ３００１を使用する際に必要なパスワードである。また、前記場所情報３００３は、前記電子ペン１００と処理端末２００を設置している店舗や事務所等の情報（店名など）を格納する。また前記用途種別３００４は、後述する用途ＤＢ４０８（図１４）における用途種別７００１の値から、該当店舗等における筆記者判定の利用用途に対応した値を格納する。
【００５８】
図１１に示す座標・静脈データ登録ＤＢ４０５は、筆記中に取得した筆記データと筆記中に得た指静脈データ（生体情報）を登録するデータベースである。このデータベース４０５は、例えば、筆記者のユーザＩＤ４００１をキーとして、筆記実施日たる日付４００２、筆記実施時刻たる時刻４００３、筆記データの筆記座標たる座標４００４、筆記を開始、終了したことを示す開始終了フラグ４００５（開始の場合「１」を、終了の場合には「２」を格納）、筆記中に指静脈データを取得した場合に「１」を格納する静脈取得フラグ４００６、筆記中に取得した指静脈データに関しユニークに割り当てられる値を格納する画像ＩＤ４００７、利用者による処理端末２００でのログイン処理時に使用されたログインＩＤ４００８、前記画像ＩＤ４００７に対応している指静脈データを格納する画像４００９といったデータが対応付けたレコードの集合体となっている。
【００５９】
図１２に示す静脈データ判別情報ＤＢ４０６は、筆記中に取得した指静脈データと、静脈データＤＢ４０３（図９）内の指静脈データ（第１〜第３画像）との認証結果を登録するデータベースである。このデータベース４０６は、筆記者のユーザＩＤたるユーザＩＤ５００１をキーとして、筆記中に取得した静脈データのＩＤたる画像ＩＤ５００２、前記画像ＩＤ５００２の認証結果たる判別結果５００３（認証成功の場合は「１」を、認証失敗の場合は「０」を格納する）、筆記者が筆記を開始して最初に取得した静脈データを格納しているレコードに「１」を格納する開始フラグ５００４といったデータが対応付けされたレコードの集合体となっている。
【００６０】
図１３に示す身分証明書ＤＢ４０７は、利用者登録時の本人確認に使用する証明書情報を登録しておくマスタデータベースであり、各身分証明書に対してユニークに割り当てられる種別６００１、身分証明書の名称を証明書６００２を格納する。
【００６１】
図１４に示す用途ＤＢ４０８は、筆記中に複数得た指静脈データと静脈データＤＢ４０３の指静脈データとが一致して認証成功となった割合＝筆記者認証適合率の基準値(以下閾値)を、用途別（例：クレジットカード決済用、小切手サイン用、公正証書記載用など）に格納しておくマスタデータベースである。用途毎に指定した閾値を超える筆記者認証適合率であれば筆記者を本人と判定することになる。前記用途種別７００１は本システム１の用途毎にユニークに番号が割り当てられ、前記用途７００２には本システム１の用途、前記閾値７００３には用途毎に指定されている閾値の値が格納されている。
【００６２】
図１５に示すログイン情報ＤＢ４０９は、前記処理端末２００の管理者のログイン情報を管理するデータベースで、管理者が処理端末２００へログインする際に使用したＩＤを格納したログインＩＤ８００１、ログイン時刻を格納したログイン時刻８００２、処理端末２００を停止した時間を格納したシステム終了時刻８００３といったデータから構成される。
【００６３】
図１６に示す座標データ取得情報ＤＢ４１０は、前記電子ペン１００から取得した座標データを格納するデータベースで、前記電子ペン１００で筆記データ毎に一意に割り当てられるＩＤであるデータ取得ＩＤ９００１をキーとして、筆記データ取得日を示す日付９００２、筆記データ取得時の取得時刻９００３、筆記データが含む筆記座標である座標９００４といったデータを対応付けたレコードの集合体となっている。
【００６４】
図１７に示す静脈データ取得情報ＤＢ４１１は、指静脈データを前記電子ペン１００から取得して格納するデータベースであり、座標データ取得情報ＤＢ４１０（図１６）におけるデータ取得ＩＤ９００１と同意のデータ取得ＩＤ１０００１をキーとして、筆記データ取得日たる日付１０００２、筆記データ取得時の取得時刻１００３、筆記中に取得した指静脈データの画像にユニークに割り振られる画像ＩＤ１０００４、筆記中に取得した指静脈データである画像データ１０００５を対応付けたレコードの集合体となっている。
【００６５】
図１８に示す使用ユーザ情報ＤＢ４１２は、電子ペン利用者が前記処理端末２００を利用した時刻情報を保持しており、利用者のユーザＩＤ１１００１をキーとして、筆記を開始した時刻である認証時刻１１００２、筆記を終了した時刻である終了時刻１１００３、筆記データに一意に割り振られるデータ取得ＩＤ１１００４を対応付けたレコードの集合体となっている。
【００６６】
−−−処理フロー例１−−−
以下、本実施形態における筆記者判定方法の実際手順について図に基づき説明する。なお、以下で説明する筆記者判定方法に対応する各種動作は、前記システム１を構成する電子ペン１００、処理端末２００、管理サーバ３００、ＤＢサーバ４００らのメモリに読み出して実行するプログラムによって実現される。そして、このプログラムは、以下に説明される各種の動作を行うためのコードから構成されている。
【００６７】
図１９は本実施形態の筆記者判定方法の処理フロー例１を示す図である。ここでは、筆記開始準備処理として、処理端末２００の管理者が処理端末２００を起動してログイン処理を行い、筆記者に関する個人情報検索を行う際の処理フローを示す。この場合、前記処理端末２００の画面表示機能部２０５は、例えば、処理端末２００の起動に応じてログイン画面７００（図２７）のデータを表示部２０８を介してディスプレイ２０５で表示（Ｓ１０１）する。
【００６８】
また、前記処理端末２００のデータ取得機能２０２は、前記ログイン画面７００を介して管理者ＩＤ３００１、パスワード３００２の入力を受け付けて取得し、そのデータをデータ送信機能部２０４に渡す。このデータ送信機能部２０４は、管理サーバ３００のデータ取得機能部３０３に前記データを含むログイン要求を送ることになる。
【００６９】
この時、前記管理サーバ３００のログイン処理部３０７は、前記データ送信機能部２０４から送られてきたログイン要求に応じてログイン処理を実行する（Ｓ１０２）。このログイン処理（Ｓ１０２）において、前記管理サーバ３００のログイン処理部３０７は、ログイン要求が含む前記管理者ＩＤ３００１、パスワード３００２を前記管理者ＩＤパスワードＤＢ４０４に照合して管理者に関する認証を行う。また、前記ログイン処理部３０７は、ログインに使用されたログインＩＤを、前記ログイン情報ＤＢ４０９（図１５）のログインＩＤ８００１に、またログイン時刻をログイン時刻８００２に格納する。なお、処理端末３００からのログオフ時には、前記ログイン処理部３０７はログオフ時刻を前記ログイン情報ＤＢ４０９の終了時刻８００３に格納することになる。
【００７０】
上述のログイン処理実行後、前記管理サーバ３００のログイン処理部３０７は、メニュー画面７１０（図２８）のデータを、前記処理端末２００のデータ取得機能２０３へ送信する。これに応じて、前記処理端末２００の画面表示機能部２０５は、前記メニュー画面７１０を表示する（Ｓ１０３）。
【００７１】
前記処理端末２００のデータ取得機能２０２は、前記メニュー画面７１０において、「新規登録」ボタンの押下に伴い（Ｓ１０４：ＹＥＳ）、当該画面７１０を介して入力装置２０６で管理者ないし筆記者により入力された新規筆記者の登録情報を取得する。この場合、前記データ取得機能２０２は、前記新規筆記者の登録情報を前記データ送信機能部２０４に渡し、このデータ送信機能部２０４が前記登録情報を含む登録要求を管理サーバ３００のデータ取得機能部３０３へ送信する（Ｓ１０５）。
【００７２】
前記管理サーバ３００のデータ取得機能部３０３は前記登録情報を受信し、前記個人情報管理部３１１に渡す。この個人情報管理部３１１は、図２６に示す個人情報登録処理（Ｓ１０７）を行うことになる。図２６に例示したフローについては後述する。この新規登録処理の終了後、前記管理サーバ３００の個人情報管理部３１１は、新規筆記者に関する個人情報とその確認依頼メッセージを前記処理端末２００に送信する（Ｓ１１１）。
【００７３】
一方、前記処理端末２００のデータ取得機能部２０３は、前記個人情報および前記確認依頼メッセージを受信してディスプレイ２０５に表示する（Ｓ１１３）。ここで前記個人情報が正しいという情報が入力装置２０６で入力された場合（Ｓ１１４：ＹＥＳ）、前記データ取得機能部２０３は、前記新規筆記者の情報の格納依頼を管理サーバ３００の個人情報管理部３１１に送る（Ｓ１１６ａ）。前記管理サーバ３００の個人情報管理部３１１は、前記格納依頼を受けて、前記新規筆記者の登録情報について格納処理（Ｓ１１６）を行う。この格納処理では、前記使用ユーザ情報ＤＢ４１２（図１８）のユーザＩＤ１１００１、認証時刻１１００２、およびデータ取得ＩＤ１１００４の各欄へ対応データを格納する。前記ステップＳ１１６の後、処理はステップＳ１２０（図２０）へ遷移する。
【００７４】
なお、前記ステップ１１４において、前記個人情報が正しくないという情報が入力装置２０６で入力された場合（Ｓ１１４：Ｎｏ）、処理はステップＳ１１５へ遷移し、前記処理端末２００の画面表示機能部２０５が再処理依頼メッセージをディスプレイ２０５に表示した後、前記ステップＳ１０３のメニュー画面表示に処理が戻る。
【００７５】
他方、前記メニュー画面７１０（図２８）において、「検索」ボタンが押下された場合（Ｓ１０４：Ｎｏ）、前記処理端末２００の画面表示機能部２０５は、画面７３０（図３０）をディスプレイ２０５に表示する。この時、前記処理端末２００のデータ取得機能部２０３は、前記画面７３０を介して筆記者の氏名、生年月日のデータを取得する。それに続いて前記処理端末２００の画面表示機能部２０５は、指静脈データの読み取りメッセージを含んだ画面７４０（図３１）をディスプレイ２０５に表示する。この時、前記処理端末２００のデータ要求機能部２０２は、前記ケーブル３１を介して前記電子ペン１００に起動要求を送信し、電子ペン１００を起動させる。この時、筆記者は前記電子ペン１００を把持しているものとする。
【００７６】
一方、前記電子ペン１００のデータ取得管理部１２９は、当該電子ペン１００を把持している筆記者の手指に対し、前記撮像部１１５および光源１１６により指静脈データを取得するものとする。また前記電子ペン１００のデータ取得管理部１２９は、取得した指静脈データを前記通信部１２５を経由して前記処理端末２００のデータ取得機能２０３へ送信する。
【００７７】
前記処理端末２００のデータ送信機能部２０４は、前記画面７３０を介して取得した筆記者の氏名、生年月日のデータ、および前記電子ペン１００から取得した指静脈データを、検索処理依頼と共に管理サーバ３００のデータ取得機能部３０３に送信する（Ｓ１０６）。
【００７８】
前記管理サーバ３００の個人情報管理部３１１は、前記処理端末２００から筆記者の氏名、生年月日、および指静脈データを受信し（Ｓ１０８）、ここで受信したデータを用いて図２４に示す個人情報検索処理（Ｓ１０９）を実行する。この検索処理により前記個人情報管理部３１１は、前記筆記者についてＤＢサーバ４００にて登録済みの個人情報を取得する。
【００７９】
なお、前記ステップＳ１０９の結果、前記ユーザ情報ＤＢ４０２、静脈データＤＢ４０３において一致する登録情報が検索できなかった場合（Ｓ１１０：Ｎｏ）、前記個人情報管理部３１１は、再入力依頼メッセージを処理端末２００に送信し（Ｓ１１２）、処理を前記ステップＳ１１３に遷移させる。一方、前記ステップＳ１０９の結果、前記ユーザ情報ＤＢ４０２、静脈データＤＢ４０３において一致する登録情報が検索できた場合（Ｓ１１０：ＹＥＳ）、前記個人情報管理部３１１は、検索できた個人情報とその確認依頼メッセージを送信する（Ｓ１１１）。
【００８０】
この時、前記処理端末２００では前記管理サーバ３００からの個人情報と確認依頼メッセージを受信・表示する（Ｓ１１３）。ここで前記個人情報が正しいという情報が入力装置２０６で入力された場合（Ｓ１１４：ＹＥＳ）、前記データ取得機能部２０３は、前記新規筆記者の情報の格納依頼を管理サーバ３００の個人情報管理部３１１に送る（Ｓ１１６ａ）。前記管理サーバ３００の個人情報管理部３１１は、前記格納依頼を受けて、前記新規筆記者の登録情報について格納処理（Ｓ１１６）を行う。この格納処理では、前記使用ユーザ情報ＤＢ４１２（図１８）のユーザＩＤ１１００１、認証時刻１１００２、およびデータ取得ＩＤ１１００４の各欄へ対応データを格納する。前記ステップＳ１１６の後、処理はステップＳ１２０（図２０）へ遷移する。
【００８１】
なお、前記ステップ１１４において、前記個人情報が正しくないという情報が入力装置２０６で入力された場合（Ｓ１１４：Ｎｏ）、処理はステップＳ１１５へ遷移し、前記処理端末２００の画面表示機能部２０５が再処理依頼メッセージをディスプレイ２０５に表示した後、前記ステップＳ１０３のメニュー画面表示に処理が戻る。
【００８２】
−−−処理フロー例２−−−
図２０は本実施形態の筆記者判定方法の処理フロー例２を示す図である。ここでは、上述の筆記開始前準備処理を受けて、筆記開始処理に関するフローを示す。なお、前処理フロー例１でのステップＳ１１６までの処理により、これから電子ペン１００を用いた筆記を行おうとする筆記者の特定が完了している。
【００８３】
この場合、前記処理端末２００の画面表示機能部２０５は、電子ペンの使用準備の実施を要求するメッセージ（記憶部に予め保持）をディスプレイ２０５にて画面表示する（Ｓ１２０）。また前記処理端末２００のデータ要求機能部２０２は、前記ケーブル３１で接続された前記電子ペン１００に対し、筆記開始要求を送信する（Ｓ１２１）。
【００８４】
一方、前記電子ペン１００のデータ取得管理部１２９は、前記筆記開始要求を受信し（Ｓ１２２）、前記可動式スイッチ部１１７の通電確認（Ｓ１２３）を行う。この通電確認は、例えば、前記可動式スイッチ部１１７において、前記ガラス板１１９が回転して前記スイッチ１１８を下方に押し込んでスイッチがオン状態となっている＝前記電池１１０から前記撮像部１１５や光源１１６へ駆動電流が供給された状態、か否かを判定することになる。
【００８５】
前記通電確認の結果、前記可動式スイッチ部１１７の前記スイッチ１１８がオフ状態となっており、指静脈データの取得が可能な状態になければ（Ｓ１２４、Ｓ１２５：Ｎｏ）、前記データ取得管理部１２９は、前記処理端末２００のデータ取得機能部２０３に対し、エラー情報を送信する（Ｓ１３１）。また、前記処理端末２００のデータ送信機能部２０４は、前記管理サーバ３００のデータ取得機能部３０３へエラー情報を送信する（Ｓ１３２）。この場合、前記管理サーバ３００のデータ取得機能部３０３は、前記エラー情報を受信し、前記データ要求機能部３０２がリトライメッセージを処理端末２００に送信（Ｓ１３３）する。これにより、再度の筆記者認証実施要求メッセージを処理端末２００の画面表示機能部２０５が表示する前記Ｓ１２０の処理へ移る。なお、前記リトライ実施後も前記ステップＳ１２５でエラーであった場合は、処理を最初から実施するよう、前記管理サーバ３００のデータ要求機能部３０２がメッセージを前記処理端末２００に送る。処理端末２００の画面表示機能部２０５はこのメッセージを表示した後、前記メニュー画面７１０に戻る等の強制終了処理を行う。
【００８６】
他方、前記ステップＳ１２５の判定にて、前記通電確認の結果が、前記可動式スイッチ部１１７の前記スイッチ１１８がオン状態となっており、指静脈データの取得が可能な状態であれば（Ｓ１２４、Ｓ１２５：ＹＥＳ）、前記電子ペン１００のデータ取得管理部１２９は、例えば、前記バイブレータ１１１を振動させ、前記ＬＥＤインジケータ１１２を点灯（Ｓ１２６）させ、筆記開始可能状態であることを筆記者に知らせる。また、前記電子ペン１００のデータ取得管理部１２９は、電子ペン１００が筆記開始可能状態であることを前記処理端末２００のデータ取得機能部２０３に通知する（Ｓ１２７）。
【００８７】
一方、前記処理端末２００のデータ取得機能部２０３は、前記電子ペン１００より筆記開始可能状態の通知を受信し、前記データ送信機能部２０４が前記管理サーバ３００のデータ取得機能部３０３へ筆記開始可能である通知を送信する（Ｓ１２８）。この場合、前記管理サーバ３００のデータ取得機能部３０３は、筆記開始可能の通知を受信し、前記データ要求機能部３０２が筆記開始メッセージを前記処理端末２００のデータ取得機能部２０３に送信する（Ｓ１２９）。前記処理端末２００の画面表示機能部２０５は、前記筆記開始メッセージを管理サーバ３００から受信し、ディスプレイ２０５にて表示処理する（Ｓ１３０）。ここまでの処理により、前記筆記者による前記電子ペン１００を用いた筆記の準備が完了したことになる。
【００８８】
−−−処理フロー例３−−−
図２１は本実施形態の筆記者判定方法の処理フロー例３を示す図である。ここでは、筆記データと指静脈データを取得するフローを示している。この場合、上記処理フロー例２のステップＳ１３０の実行後において、前記筆記者が前記電子ペン１００を用いて電子ペン対応用紙５にて筆記を始めたとする。この時、前記電子ペン１００の筆記具１２８を用いた筆記動作により、前記電子ペン対応用紙５上で筆跡が生じる。
【００８９】
この時、前記電子ペン１００の筆記読み取り部１３０は、前記電子ペン対応用紙５上に生じた筆跡の座標データ＝筆記座標を、前記電子ペン対応用紙５に配置されている前記ドット１２７から、前記光学ユニット１１４（光源１２１と撮像部１２０）を用いて読み取り、前記光学ユニット１１４から受信する（Ｓ２０１）。前記光学ユニット１１４から筆記座標受信を開始したタイミングで、前記筆記読み取り部１３０は、前記筆記座標のデータ毎に重複しないデータ取得ＩＤを採番（採番手法はデータ受信順に１ずつ番号をインクリメントするなど一般的なものでよい）する。このデータ取得ＩＤの値は、筆記毎にユニークな値とし、筆記座標や指静脈データを特定する際のキーとなる。
【００９０】
続いて前記電子ペン１００の筆記時期通知部１３１は、前記筆記座標のデータを光学ユニット１１４から受信すると、筆記座標のデータ受信を開始したことを示す信号＝筆記座標取得の開始通知を、前記処理端末２００のデータ取得機能部２０３に送信する（Ｓ２０２）。一方、前記筆記読み取り部１３０は、前記メモリ１２２に前記筆記座標のデータを登録する（Ｓ２１１）。なお、前記筆記座標のデータは、前記処理端末２００へ送信するまで、前記記憶部１２４に一旦データ保存するとしてもよい。また前記筆記読み取り部１３０は、前記筆記座標のデータ登録に伴い、登録データのエラーチェックも行うとすればよい（Ｓ２１２）。
【００９１】
続いて、前記処理端末２００において、前記データ取得機能部２０３が前記電子ペン１００より筆記座標取得の開始通知を受信（Ｓ２０３）すると、前記データ要求機能２０２は、筆記座標取得の終了通知を受け取るまで、一定間隔ないしランダムのタイミングで生体情報たる指静脈データの取得要求信号を電子ペン１００の前記取得完了通知部１３２に送信する（Ｓ２０４）。
【００９２】
一方、前記電子ペン１００の取得完了通知部１３２は、前記処理端末２００のデータ要求機能２０２から前記指静脈データの取得要求信号を受信し（Ｓ２０５）、前記光源１１６および撮像部１１５により、前記筆記者の指静脈データを取得する。また、この指静脈データ取得時における筆記中文字の筆記座標、筆記時刻を前記光学ユニット１１４から取得（Ｓ２０６）する。前記取得完了通知部１３２は、ここで取得した筆記座標、筆記時刻、指静脈データをメモリ１２２に登録する（Ｓ２０７）。これらのデータは処理端末２００に送信されるまで前記記憶部１２４にて保存するとてもよい。
【００９３】
また、前記電子ペン１００の取得完了通知部１３２は、前記ステップＳ２０７が完了したタイミングで、指静脈データの取得完了通知を、前記処理端末２００のデータ取得機能部２０３に対して送信する（Ｓ２０８）。なお指静脈データ等の処理端末２００への送信は、光学ユニット１１４からのデータ取得直後に行っても良い。
【００９４】
その後、前記電子ペン１００において、前記圧力センサー１１３が筆記時の圧力＝筆圧を感知せず（或いは筆圧が所定基準値以下である時）、また前記可動式スイッチ部１１７において前記スイッチ１１８がオフ状態＝ガラス板１１９から前記筆記者の手指が離れていることを前記筆記時期通知部１３１は検知し、筆記座標のデータ取得終了通知を前記処理端末２００のデータ取得機能部２０３に送信する（Ｓ２１３）。
【００９５】
またこれに合わせて、前記電子ペン１００のデータ送信部１３３は、前記記憶部１２４に保存していた筆記座標データ及び指静脈データ取得時の筆記座標、筆記時刻、指静脈データを、前記処理端末２００に転送する（Ｓ２１４）。この転送処理は、前記電子ペン１００がクレードルなど処理端末２００との接続インターフェイスに載置されたタイミングで実行するとしても良い。
【００９６】
一方、前記処理端末２００のデータ取得機能部２０３は、前記電子ペン１００のデータ送信部１３３から前記筆記座標データ、指静脈データ取得時の筆記座標、筆記時刻、および指静脈データを受信する（Ｓ２１５）。また前記データ送信機能部２０４は、前記ステップＳ２１５で受信したデータを、前記管理サーバ３００のデータ取得機能部３０３へ送信し、結果照会処理（Ｓ２１６）を実行する。
【００９７】
−−−処理フロー例４−−−
図２２は本実施形態の筆記者判定方法の処理フロー例４を示す図である。ここでは、前記処理フロー例３にて示した結果照会処理（Ｓ２１６）についての処理フローを示す。この場合、前記処理端末２００のデータ送信機能部２０４は、筆記終了により前記電子ペン１００のデータ送信部１３３から転送されたメモリ蓄積データ（筆記座標データ、データ取得ＩＤ、指静脈データ取得時の筆記座標、筆記時刻、および指静脈データ）を、前記管理サーバ３００のデータ取得機能部３０３へ送信（Ｓ３０１）する。
【００９８】
一方、前記管理サーバ３００のデータ取得機能部３０３は、前記メモリ蓄積データを受信し（Ｓ３０２）、生体情報認証機能部３０６に渡す。この生体情報認証機能部３０６は結果照合中を示すメッセージを前記処理端末２００のデータ取得機能部２０３に送信する（Ｓ３０３）。この時、前記処理端末２００の画面表示機能部２０５は、結果照合中メッセージを前記管理サーバ３００から受信してディスプレイ２０５にて画面表示する（Ｓ３０４）。なお、前記管理サーバ３００の生体情報認証機能３０６は、前記処理端末２００から受信した前記メモリ蓄積データについて結果判定処理（Ｓ３０５）を行う。この結果判定処理については図２３に基づき後述する。
【００９９】
前記管理サーバ３００の生体情報認証機能３０６は、前記結果判定処理（Ｓ３０５）で計算した筆記中の指静脈データの筆記者認証適合率と、ログイン処理時に取得した使用用途毎の前記閾値７００３とを比較し（Ｓ３０６）、閾値以上であれば（Ｓ３０６：ＹＥＳ）判定結果を処理端末２００のデータ取得機能部２０３に送信する（Ｓ３０７）。一方、処理端末２００の画面表示機能部２０５は、前記判定結果を受信してディスプレイ２０５にて画面表示し（Ｓ３０８）、処理を完了する。この際に表示する画面７７０は図３４のように筆跡中における指静脈データの取得箇所とその指静脈データの認証結果とがあわせて表示されるものとなる。
【０１００】
他方、前記ステップＳ３０６で、前記筆記者認証適合率が前記閾値に達していない場合（Ｓ３０６：Ｎｏ）、前記管理サーバ３００の生体情報認証機能部３０６は、リトライするか問うメッセージを前記処理端末２００に送信する（Ｓ３０９）。この時、前記筆記者らがリトライを希望する場合、前記処理端末２００のデータ要求機能部２０２は入力装置２０６でリトライ指示を前記筆記者らから受け、前記管理サーバ３００のデータ取得機能部３０３にリトライ要求を送る（Ｓ３１１）。管理サーバ３００のデータ取得機能部３０３は前記リトライ要求を受けて、前記メニュー画面７１０のデータを処理端末２００に送る（Ｓ３１２）。例えば、前記リトライは２回までとし、それ以上は再度メニュー画面からの実施とするといった処理にしてもよい。
【０１０１】
なお、前記管理サーバ３００は上記ステップＳ３０６の処理を行わず、前記ステップＳ３０５での前記判定結果を処理端末２００に送るとしてもよい。
【０１０２】
また、前記ステップＳ３０６の処理で得た判定結果は、前記管理サーバ３００から前記ＤＢサーバ４００の座標・静脈データ登録ＤＢ４０５などに登録される。従って、筆記中や筆記終了直後だけでなく、筆記終了から一定期間が経過した後でも筆記者や管理者等により照会出来る。この照会時には、個人番号、氏名、生年月日、性別、住所などを検索キーとして受け付ける照会処理用の画面（図２９、図３２、図３３）を管理サーバ３００が処理端末２００に提示し、前記検索キーに該当する筆記者に関する過去の判定結果を前記ＤＢサーバ４００で検索し、検索結果を処理端末２００に返信する。
【０１０３】
−−−処理フロー例５−−−
図２３は本実施形態の筆記者判定方法の処理フロー例５を示す図である。ここでは、上記処理フロー例４での結果判定処理（Ｓ３０５）の詳細フローを示す。この場合、前記管理サーバ３００のデータＤＢ機能部３０５は、前記電子ペン１００から受信した前記メモリ蓄積データのうち、例えば、筆記座標のデータ、当該筆記座標のデータ取得ＩＤ、筆記日付、筆記時刻の登録指示を前記ＤＢサーバ４００に送る（Ｓ４０１）。また前記データＤＢ管理機能部３０５は、前記メモリ蓄積データのうち、例えば、指静脈データたる画像データ、指静脈データ取得時の筆記座標、および当該筆記座標のデータ取得ＩＤ、筆記日付、筆記時刻の登録指示を前記ＤＢサーバ４００に送る（Ｓ４０２）。
【０１０４】
一方、前記ＤＢサーバ４００のデータ処理部４１５は、前記管理サーバ３００から前記登録指示を受けて、当該登録指示が含む前記データ取得ＩＤ、筆記日付、筆記時刻、筆記座標のデータを、前記座標データ取得情報ＤＢ４１０の対応欄９００１、９００２、９００３、９００４に格納する（Ｓ４０３）。
【０１０５】
また、前記ＤＢサーバ４００のデータ処理部４１５は、前記管理サーバ３００から前記登録指示を受けて、当該登録指示が含む前記指静脈データたる画像データ、該当指静脈データ取得時の筆記座標、当該筆記座標のデータ取得ＩＤ、筆記日付、筆記時刻を、前記静脈データ取得情報ＤＢ４１１の対応欄１０００１、１０００２、１０００３、１０００４、１０００５に登録する（Ｓ４０４）。
【０１０６】
次に前記ＤＢサーバ４００のデータ処理部４１５は、図１１の座標・静脈データ登録ＤＢ４０５の更新を行う。ここで前記データ処理部４１５は、前記ステップＳ４０３、ｓ４０４で管理サーバ３００から得たデータ取得ＩＤを検索キーとし、前記使用ユーザ情報ＤＢ４１２の欄１１００１からユーザＩＤ４００１を取得する。また前記データ処理部４１５は、前記データ取得ＩＤを検索キーとし、前記座標データ取得情報ＤＢ４１０の欄９００４から筆記座標データたる座標４００４を取得する。また、前記データ処理部４１５は、前記データ取得ＩＤを検索キーとし、前記座標データ取得情報ＤＢ４１０の欄９００２より、筆記座標を取得した日付４００２を、同様に筆記座標の取得時刻を欄９００３から取得する。更に、前記データ処理部４１５は、前記データ取得ＩＤを検索キーとし、前記静脈データ取得情報ＤＢ４１１の欄１０００４、１０００５から画像ＩＤ４００７と指静脈データたる画像データ４００９を取得する。
【０１０７】
こうして取得したデータを、前記データ処理部４１５は、前記座標・静脈データ登録ＤＢ４０５の対応欄に格納し更新処理を行うこととなる。なお、前記指静脈データを前記座標・静脈データ登録ＤＢ４０５に格納する際、前記データ処理部４１５は、前記静脈取得フラグ４００６に「１」を格納する。また前記データ処理部４１５は、前記座標・静脈データ登録ＤＢ４０５に格納したデータのうち最初のレコード（＝筆記開始して初めて得た筆記データ、指静脈データに対応する）には開始終了フラグ４００５の欄に「１」を、最後のレコード（＝筆記終了直近で得た筆記データ、指静脈データに対応する）には「２」を格納する。また前記データ処理部４１５は、前記座標・静脈データ登録ＤＢ４０５におけるログインＩＤ４００８の欄には、図１５のログイン情報ＤＢ０４０９のログインＩＤ８００１の値を格納する。このログインＩＤ４００８を検索キーとすることで、前記データ処理部４１５は、前記管理者ＩＤパスワードＤＢ４０４より、対応する場所情報３００３、用途種別３００４のデータを特定することができる。また、前記用途種別３００４のデータは、前記用途ＤＢ４０８から前記用途７００２、閾値７００３の各データを取得するキーとできる。
【０１０８】
こうして各ＤＢの更新が完了した前記ＤＢサーバ４００のデータ処理部４１５は、前記管理サーバ３００に対し、ＤＢ更新終了情報を送信する（Ｓ４０５）。  
他方、前記管理サーバ３００のデータ取得機能部３０３は、前記ＤＢ更新終了情報をＤＢサーバ４００から受信しすると（Ｓ４０６）、前記ＤＢサーバ４００のデータ処理部４１５に対し、筆記中の前記筆記者について取得している指静脈データの画像ＩＤを要求する（Ｓ４０７）。
【０１０９】
この時、前記ＤＢサーバ４００のデータ処理部４１５は、前記画像ＩＤの要求を受信し（Ｓ４０８）、前記ステップＳ４０３、Ｓ４０４でのＤＢ更新時に使用したデータ取得ＩＤを検索キーとし、前記座標・静脈データ登録ＤＢ４０５に格納している静脈取得フラグ４００６に「１」および「２」が格納されているレコードを検索する。この静脈取得フラグ４００６に「１」および「２」が格納されているレコードは、筆記座標の取得開始と終了とを示しており、つまり、この間のレコードは、電子ペン１００による電子ペン対応用紙５上での一連の筆跡（例：“あいうえおかきくけこ”など一文、所定文字数の文字列など）に対応するものとなる。
【０１１０】
また、前記データ処理部４１５は、前記静脈取得フラグ４００６に「１」が格納されている該当レコードから、前記静脈取得フラグ４００６に「２」が格納されている該当レコードに至るレコード群が含む各レコードについて、ユーザＩＤ４００１、日付４００２、時刻４００３、座標４００４、静脈取得フラグ４００６、画像ＩＤ４００７、ログインＩＤ４００８、画像４００９の各データを取得する（Ｓ４０８）。また前記データ処理部４１５は、これら前記座標・静脈データ登録ＤＢ４０５から取得したデータを、前記管理サーバ３００のデータ取得部３０３に送信する（Ｓ４０９）。
【０１１１】
例えば、“あいうえおかきくけこ”の１０文字からなる筆跡について、各１文字ごとに複数レコード（開始終了フラグ４００５が「１」から「２」に至るまでレコード）が生成されており、前記１０文字の各レコードからなるレコード群が前記管理サーバ３００のデータ取得部３０３に送信されたとする。この時、前記管理サーバ３００のデータ変換機能部３０４は、前記ＤＢサーバ４００から受信した各レコードの筆記座標群たる座標４００４のデータ群を基に、前記“あいうえおかきくけこ”の筆跡を示すビットマップ形式等の筆跡画像を生成する（Ｓ４１０）。この筆跡画像の生成は、例えば、前記筆記座標群の各筆記座標を所定座標面上にプロットし、各筆記座標間を所定アルゴリズムに基づいて結ぶことで筆跡を生成する（筆記座標に基づいて筆跡画像を生成する手法については既存記述を採用すればよい）。
【０１１２】
また前記データ変換機能部３０４は、前記レコード群より前記静脈取得フラグ４００６が「１」であるレコードを特定し、該当レコードより筆記座標を示す座標４００４の値を読み取り、前記筆跡画像中における前記座標４００４の値の対応位置に、例えば、指静脈データの取得箇所を示す○印の表示データと、該当箇所で取得した指静脈データの画像ＩＤ４００６の表示データを配置する（Ｓ４１１）。
【０１１３】
例えば、前記処理端末２００が電子ペン１００に対し、指静脈データの取得要求を一定時間毎（例：０．３秒毎など）に通知した結果、前記電子ペン１００で筆記された前記“あいうえおかきくけこ”の文字列のうち、“あ”、“う”、“お”、“か”、“け”の各文字の筆記中のタイミングの所定時刻で指静脈データの取得がなされたとする。また例えば、前記“あ”の文字の筆記中において、日付４００２“２００９０２０２”の時刻４００３“２０時２０分２１秒２２”に電子ペン１００で取得された指静脈データの画像ＩＤが“ａａａ０００１”だったとする。この場合、筆跡画像中の前記“あ”の筆跡において、前記画像ＩＤ“ａａａ０００１”および○印の表示が、当該画像ＩＤ“ａａａ０００１”に対応する座標４００４“１２３，３２１”の位置に配置されることになる。
【０１１４】
この時、前記データ変換機能部３０４は、前記指静脈データの取得時刻における筆記座標＝前記静脈取得フラグが「１」であるレコードでの筆記座標、に対応する指静脈データの認証処理（後述するステップＳ４１２）の結果を生体情報認証機能部３０６から得て、前記認証処理結果を示す表示データを、前記筆跡画像中での所定位置（例：筆跡画像中における対応指静脈データの取得位置、或いは前記画像ＩＤ４００６の表示データ欄における対応指静脈データの画像ＩＤ下段など）に配置し、その筆跡画像データを前記ＤＢサーバ４００ないし処理端末２００に送信する（Ｓ４１４）。ここで送信した筆跡画像のデータ例としては、図３４の画面７７０に示す通りである。この画面７７０では、筆跡画像７７１において、指静脈データの取得箇所を示す○印の表示データ７７２と、該当箇所で取得した指静脈データの画像ＩＤ４００６の表示データ７７３とが配置されている。また、各指静脈データに関する認証処理結果を示す表示データ７７５を、前記画像ＩＤ４００６の表示データ欄７７４における対応指静脈データの画像ＩＤ下段に配置している。
【０１１５】
前記管理サーバ３００の生体情報認証機能部３０６は、図２５に示す筆記中に取得した指静脈データに関する前記判定処理（Ｓ４１２）を実行した後、前記判定処理の結果として得る指静脈データの照合件数（上記例では、“あ”、“う”、“お”、“か”、“け”の各文字に対応する５件）と一致件数（認証成功の件数）、不一致件数（認証不成功の件数）から、筆記者認証適合率を計算（Ｓ４１３）する。筆記者認証適合率は照合件数中における一致件数の割合で算出する値であり、この算出結果の値が所定閾値を超えると前記“あいうえおかきくけこ”の一文について、筆記者は正当な者であると判定し、算出結果が所定閾値を超えないと前記“あいうえおかきくけこ”の一文について、筆記者は正当な者でないと判定する。この判定結果は、前記画面７７０での判定結果欄７７６において○＝正当な筆記者、×＝不正な筆記者で示す。なお、上記図２５の処理フローについては後述する。
【０１１６】
−−−処理フロー例６−−−
図２４は本実施形態の筆記者判定方法の処理フロー例６を示す図である。ここでは、個人情報検索処理（処理フロー例１でのステップＳ１０９）の処理フローを示す。この場合、前記処理端末２００のデータ送信機能部２０４は、図２８のメニュー画面７１０での「検索」ボタン押下に応じ、図３０に示す検索画面７３０をディスプレイ２０５にて表示し、また、前記データ取得機能部２０３は前記画面７３０にて氏名、生年月日のデータを取得して、管理サーバ３００のデータ取得部３０３に送信する（Ｓ５０１）。
【０１１７】
前記管理サーバ３００の個人情報管理部３１１は、前記処理端末２００から受信した氏名、生年月日の情報を基に、前記ＤＢサーバ４００のユーザ情報ＤＢ４０２を検索する（Ｓ５０２）。この時、前記ユーザ情報ＤＢ４０２のデータ処理部４１５は、前記氏名、生年月日をキーとした前記ユーザ情報ＤＢ４０２での検索を実行し、その検索結果を前記管理サーバ３００に返信する（Ｓ５０３）。
【０１１８】
他方、前記管理サーバで０３００のデータ取得部３０３は、前記ＤＢサーバ４００からユーザ情報ＤＢ４０２での検索結果を受け取り、これを前記個人情報管理部３１１に渡す。前記個人情報管理部３１１は、前記ステップＳ５０３での検索の結果、前記氏名、生年月日に一致するレコードが前記ユーザ情報ＤＢ４０２で検索できなければ（Ｓ５０４：Ｎｏ）、前記処理端末２００に氏名、生年月日の再入力を促すメッセージを送信する。一方、前記処理端末２００の画面表示機能部２０５は前記メッセージを受信して、ディスプレイ２０５に表示し（Ｓ５０５）、本フローを終了する。
【０１１９】
一方、前記ステップＳ５０３での検索の結果、前記氏名、生年月日に一致するレコードが検索できた場合（Ｓ５０３：ＹＥＳ）、前記個人情報管理部３１１は、前記処理端末２００のデータ受信機能部２０４に対し、指静脈データの取得要求を送信（Ｓ５０６）する。この場合、前記処理端末２００のデータ受信機能部２０４は、前記管理サーバ３００のデータ要求機能部３０２が送信した前記指静脈データの取得要求を受信し、また、これに応じて前記画面表示機能部２０５が指静脈データの取得要求メッセージをディスプレイ２０５にて表示（Ｓ５０７）する。
【０１２０】
それとともに前記処理端末２００のデータ要求機能２０２は、前記電子ペン１００を起動する。また前記データ取得管理部１２９は電子ペン１００より指静脈データを取得する。前記電子ペン１００のデータ取得管理部１２９は、指静脈データの取得後、例えば前記ケーブル３１で処理端末２００と接続された専用クレードルに前記電子ペン１００が載置されると、もしくは前記スイッチ１１８がオフであることで筆記座標の取得が終了したと判定された場合、電子ペン１００は、前記処理端末２００のデータ取得機能部２０３に対し、取得した指静脈データ等を送信（Ｓ５０８）する。
【０１２１】
一方、前記処理端末２００のデータ取得機能部２０３は前記指静脈データらを電子ペン１００より取得する。また前記データ送信機能部２０４は、前記管理サーバ３００のデータ取得機能部３０３に前記指静脈データらを送信（Ｓ５０９）する。前記管理サーバ３００のデータ取得機能部３０３は前記指静脈データらを取得し、前記データＤＢ機能部３０５に渡す。前記データＤＢ機能部３０５は、前記ユーザ情報ＤＢ４０２を前記氏名、生年月日で検索して取得したユーザＩＤ１００１をキーとして、前記ＤＢサーバ４００の静脈データＤＢ４０３での検索処理（Ｓ５１０）を行う。この時、前記ＤＢサーバ４００のデータ処理部４１５は、前記管理サーバ３００のデータＤＢ機能部３０５より得たユーザＩＤ１００１をキー情報として静脈データＤＢ４０３のユーザＩＤ２００１を検索し、一致するユーザの第１画像２００３、第２画像２００３、第３画像２００４の各データを取得し、ここで取得したデータを前記管理サーバ３００に送信（Ｓ５１１）する。前記管理サーバ３００のデータ取得機能部３０５は、前記ＤＢサーバ４００のデータ処理部４１５から送信されてきた前記指静脈の画像データを受信（Ｓ５１２）し、前記処理フロー例１でのステップＳ１０９に処理を戻す。
【０１２２】
−−−処理フロー例７−−−
図２５は本実施形態の筆記者判定方法の処理フロー例７を示す図である。ここでは、前記処理フロー例でのステップＳ４１２＝筆記中に取得した指静脈データに関する筆記者判定処理について示す。この場合、前記管理サーバ３００の生体情報認証機能３０６は、前記レコード群より前記静脈取得フラグ４００６が「１」であるレコードを、上記例の如く、“あ”、“う”、“お”、“か”、“け”の各文字に対応するレコードより特定したとする（Ｓ６０１、Ｓ６０２）。そして、この場合、前記生体情報認証機能３０６は、前記“あ”、“う”、“お”、“か”、“け”の計５文字に対応するレコードより特定したレコードの数＝画像４００９の件数をカウント（Ｓ６０３）する。
【０１２３】
また前記管理サーバ３００のデータ取得機能部３０３は、前記ステップＳ６０１、Ｓ６０２で特定した画像４００９（＝指静脈データ）のデータと、前記個人情報検索処理（Ｓ１０９）ないし前記人情報登録処理（Ｓ１０７）で取得した筆記者の指静脈データたる前記第１画像２００３、第２画像２００４、第３画像２００５を静脈データＤＢ４０３から取得する（Ｓ６０４）。また、前記生体情報認証機能３０６は、前記指静脈データと前記第１〜第３画像との照合処理（Ｓ６０５）を行う。
【０１２４】
この指静脈データの照合処理（Ｓ６０５）では、前記生体情報認証機能３０６が前記画像４００９のデータと第１画像２００３との比較、前記画像４００９のデータと第２画像２００４との比較、前記画像４００９のデータと第３画像２００５との比較、をそれぞれ実行し、いずれか一つ以上の比較処理で一致がみられた場合は「同一」、つまり筆記者は正当であると判定する。
【０１２５】
前記ステップＳ６０５の処理で「同一」と判定した場合（Ｓ６０６：ＹＥＳ）、前記生体情報認証機能３０６は、一致した件数としてカウントして当該カウント値をメモリに格納し（Ｓ６０７）、前記静脈データ判別情報ＤＢ４０６の判定結果５００３に認証成功であった情報をとして「１」を格納（Ｓ６０７）する。前記ステップＳ６０５にて、「同一」の判定とならなかった場合（Ｓ６０６：Ｎｏ）、前記生体情報認証機能３０６は、不一致件数としてカウントして当該カウント値をメモリに格納し（Ｓ６０９）、前記静脈データ判別情報ＤＢ４０６の判定結果５００３に認証失敗であった情報として「０」を格納（Ｓ６１０）する。
【０１２６】
また、前記管理サーバ３００のデータＤＢ機能部３０５は、静脈データ判別情報登録（Ｓ６１１）として、前記個人情報検索処理（Ｓ１０９）ないし前記個人情報登録処理（Ｓ１０７）で取得したユーザＩＤ１００１、前記処理フロー例４から引き継いだ前記画像ＩＤ４００６、前記処理フロー例４から引き継いだ前記開始フラグ４００５を、前記静脈データ判別情報ＤＢ４０６のユーザＩＤ５００１、画像ＩＤ５００２、開始フラグ５００４に設定し、また、ここで設定したデータを前記ＤＢサーバ４００のデータ処理部４１５に送信する。
【０１２７】
一方、前記ＤＢサーバ４００のデータ処理部４１５は、静脈データ判別情報登録（Ｓ６１２）として、前記管理サーバ３００での前記ステップＳ６１１にて設定された内容で、前記静脈データ判別情報ＤＢ４０６を更新し、ＤＢ更新情報を前記管理サーバ３００のデータ取得機能部３０３に送信する（Ｓ６１３）。この場合、前記管理サーバのデータ取得機能部３０３は、前記ＤＢ更新情報を受信し（Ｓ６１４）、一連の処理を完了する。こうした一連の処理は、筆記中に取得した各指静脈データに対して実施し（Ｓ６１５）し、前記ステップＳ６０１を処理対象の指静脈データが無くなるまで繰り返す。
【０１２８】
−−−処理フロー例８−−−
図２６は本実施形態の筆記者判定方法の処理フロー例８を示す図である。ここでは、処理フロー例１での前記個人情報登録処理（Ｓ１０７）について示す。この場合、前記管理サーバ３００の個人情報管理部３１１は、図２８に示すメニュー画面７１０での新規登録ボタンの押下データを処理端末２００から受けて、新規登録を確認するメッセージを送信（Ｓ７０１）する。
【０１２９】
この時、前記処理端末２００のデータ取得機能部２０３は前記メッセージを受信し、前記画面表示機能部２０５に渡す。前記画面表示機能部２０５は前記メッセージをディスプレイ２０５にて表示（Ｓ７０２）する。筆記者ないし管理者が、前記処理端末２００の入力装置２０６にて新規登録を指示した場合（Ｓ７０３：ＹＥＳ）、前記データ取得機能部２０３は、該当筆記者の氏名、生年月日、性別、住所等のデータを入力装置２０６を介して取得する（Ｓ７０４）。また、前記データ取得機能部２０３は、静脈データの取得要求メッセージをディスプレイ２０５にて表示し、前記筆記者に対して指静脈データの読み取り動作を促す。
【０１３０】
前記筆記者が前記電子ペン１００の前記ガラス板１１９に手指を載置し、前記撮像部１１５、光源１１６がその指静脈データを読み取ったとする。この指静脈データの読み取りは例えば３回実行され、これにより取得された指情報データは前記電子ペン１００から処理端末２００に送信される（Ｓ７０６）。前記処理端末２００ではこの指静脈データを受信し、前記データ送信機能部２０４に渡す。このデータ送信機能部２０４は、前記メニュー画面７１０などで画面入力された個人情報（氏名、生年月日等・・）と、前記電子ペン１００から得ている指静脈データとを、登録要求と共に前記管理サーバ３００のデータ取得機能部３０３に送信する（Ｓ７０８）。
【０１３１】
この場合、前記管理サーバ３００のデータ取得機能部３０３は、前記個人情報と指静脈データとを含む前記登録要求を受信し（Ｓ７０９）、これを前記個人情報管理機能部３１０に渡す。前記個人情報管理機能部３１０は、前記電子ペン１００から得た指静脈データや個人情報が既に登録済となっていないか、前記ＤＢサーバ４００のデータ処理部４１５に個人情報の検索依頼を送り、前記静脈データＤＢ４０３での前記指静脈データをキーとした検索を実行する（Ｓ７１０）。
【０１３２】
前記ＤＢサーバ４００のデータ処理部４１５は、上記検索依頼に応じて検索処理を実行し、この検索結果を前記管理サーバ３００のデータ取得機能部３０３に送信する（Ｓ７１１）。前記検索の結果、前記電子ペン１００から得た指静脈データと同一の指静脈データがＤＢサーバ４００で検索できた場合（Ｓ７１２：ＹＥＳ）、その旨を管理サーバ３００が処理端末２００に通知する。この時、前記処理端末２００の画面表示機能２０４は、前記通知を受けて、指静脈データが登録済であることを示すメッセージをディスプレイ２０５に表示（Ｓ７１３）し、本フローを完了する。他方、前記検索の結果、前記電子ペン１００から得た指静脈データと同一の指静脈データがＤＢサーバ４００で検索できなかった場合（Ｓ７１２：Ｎｏ）、前記管理サーバ３００の個人情報管理機能部３１０は、該当指静脈データおよび個人情報についてユーザＩＤを採番し（Ｓ７１５）、前記ＤＢサーバ４００に前記指静脈データおよび個人情報の登録要求を送る（Ｓ７１５）。
【０１３３】
一方、前記ＤＢサーバ４００のデータ処理部４１５は、前記管理サーバ３００が採番したユーザＩＤを、前記ユーザ情報ＤＢ４０２のユーザＩＤ１００１と、前記静脈データＤＢ４０３のユーザＩＤ２００１にそれぞれ格納し、前記ステップＳ７０４で得ている筆記者の氏名を前記ユーザ情報ＤＢ４０２の氏名１００２に、前記静脈データＤＢ４０３の氏名２００２に格納する。また同様に、前記筆記者の生年月日を、前記ユーザ情報ＤＢ４０２の年月日１００３に、前記筆記者の住所を住所１００４に、前記筆記者の身分証明書情報（免許証番号等）を個人番号１００５に、前記筆記者の身分証明書種別を身分証明書種別１００６に格納する。また、前記ステップＳ７０６で電子ペン１００にて３回読み取った指静脈データは、前記静脈データＤＢ４０３の第１画像２００３、第２画像２００４、第３画像２００５の各項目に設定する。
【０１３４】
こうして前記データ処理部４１５は、前記ユーザ情報ＤＢ４０２、静脈データＤＢ４０３を更新する（Ｓ７１６、Ｓ７１７）。また前記データ処理部４１５は、前記ステップＳ７１６、Ｓ７１７での更新結果を、前記管理サーバ３００のデータ取得機能部３０３に送信する。一方、前記管理サーバ３００のデータ取得機能部３０３は、前記登録結果を前記ＤＢサーバ４００から受信(Ｓ７１８)し、本フローは完了する。
【０１３５】
本実施形態の前記筆記者判定システム１は、以下の構成としてもよい。すなわち前記電子ペンの筆記時期通知部は、新たな筆記座標の取得が一定時間無いことの検知、前記記憶部への新たな筆記データの格納が一定時間無いことの検知、電子ペンに備わる筆圧センサでの測定筆圧が基準値まで低下したことの検知、電子ペンに備わる所定インターフェイスでの筆記終了の指示受付のいずれかを契機にして前記筆記座標取得の終了通知を情報処理装置に送信する、としてもよい。
【０１３６】
また、前記情報処理装置の結果表示部は、情報処理装置に備わる入力部にて、筆記者の本人性確認依頼を受け付けた時に、前記記憶部に格納されている、前記筆記データ群および前記生体情報データ群を読み出して、前記生体情報データ群が含む各生体情報を前記記憶部の生体情報に照合して、前記筆記者に関して得た各取得時刻での筆記座標における生体情報に関する認証処理を実行し、前記筆記データ群が含む筆記座標群より筆跡画像を生成し、前記各取得時刻での筆記座標と前記筆記座標群とを照合して、前記筆跡画像中における前記各取得時刻での筆記座標の位置を特定し、ここで特定した前記筆跡画像中の各位置に、該当取得時刻での筆記座標に対応する生体情報の前記認証処理の結果を示す表示データを配置し、当該表示データが配置された筆跡画像を出力部に表示する、としてもよい。
【０１３７】
以上、本実施形態によれば、筆記開始前或いは筆記終了後のみならず、筆記者による筆記途中のタイミングについても筆記者の本人認証を実施することができる。また、電子ペンで記入した筆跡など筆記内容とともに、筆跡中の認証タイミング、その認証結果までも表示することが可能となる。そのため、こうした表示を筆記中に行えば、筆記中にその場で本人認証の結果を確認し、筆記者の真正性や筆記内容の改竄防止、筆記者の成りすましなどを防ぐことができる。またさらに、上記筆跡や認証結果等のデータを保存することで、筆記終了後であっても、筆跡に関する筆記者確認を実現することができる。  
つまり、筆記途中および筆記完了後の筆記物についても筆記者の本人性確認が可能となる。
【０１３８】
以上、本発明の実施の形態について、その実施の形態に基づき具体的に説明したが、これに限定されるものではなく、その要旨を逸脱しない範囲で種々変更可能である。
【符号の説明】
【０１３９】
１  筆記者判定システム
５  電子ペン対応用紙
１０  データ取得指示部
２０  結果表示部
３０  ＷＡＮ回線
３１  ケーブル
３５  ＬＡＮ
５０  情報処理装置（処理端末＋管理サーバ＋ＤＢサーバ）
１００  電子ペン
１０５  クロック機能
１１０  電池
１１１  バイブレータ
１１２  ＬＥＤインジケータ
１１３  圧力センサー
１１４  光学ユニット
１１５  撮像部（静脈認証用）
１１６  光源（静脈認証用）
１１７  可動式スイッチ部
１１８  スイッチ
１１９  ガラス板
１２０  撮像部（筆記情報用）
１２１  光源（筆記情報用）
１２２、２２２、３２２、４２２  メモリ
１２３、２２３、３２３、４２３  ＣＰＵ
１２４、２２４、３２４、４２４  記憶部
１２５  通信部
１２６  電源装置
１２７  筆記座標
１２８  筆記具
１２９  データ取得管理部
１３０  筆記読み取り部
１３１  筆記時期通知部
１３２  取得完了通知部
１３３  データ送信部
１４０、２２５、３２５、４２５  プログラム
２００  処理端末
２０１  第１通信部
２０２  データ要求機能部
２０３  データ取得機能部
２０４  データ送信機能部
２０５  ディスプレイ装置（出力部）
２０６  キーボード・マウス装置（入力部）
２０７  第２通信部
３００  管理サーバ
３０１  ＨＴＴＰサーバ
３０２  データ要求機能部
３０３  データ取得機能部
３０４  データ変換機能部
３０５  データＤＢ機能部
３０６  生体情報認証機能部
３０７  ログイン処理部
３０８  ディスプレイ（出力部）
３０９  キーボード・マウス（入力部）
３１０  個人情報管理機能部
３１１  通信部
４００  ＤＢサーバ
４０１  通信部
４０２  ユーザ情報ＤＢ
４０３  静脈データＤＢ
４０５  座標・静脈データの登録ＤＢ
４０６  静脈データ判別情報ＤＢ
４０７  身分証明書ＤＢ
４０８  用途ＤＢ
４０９  ログイン情報ＤＢ
４１０  座標データ取得情報ＤＢ
４１１  静脈データ取得情報ＤＢ
４１３  ディスプレイ
４１４  マウス・キーボード
４１５  データ処理部
【図１】
2011018127.tif 000003
【図５】
2011018127.tif 000004
【図６】
2011018127.tif 000005
【図７】
2011018127.tif 000006
【図８】
2011018127.tif 000007
【図９】
2011018127.tif 000008
【図１０】
2011018127.tif 000009
【図１１】
2011018127.tif 000010
【図１２】
2011018127.tif 000011
【図１３】
2011018127.tif 000012
【図１４】
2011018127.tif 000013
【図１５】
2011018127.tif 000014
【図１６】
2011018127.tif 000015
【図１７】
2011018127.tif 000016
【図１８】
2011018127.tif 000017
【図１９】
2011018127.tif 000018
【図２０】
2011018127.tif 000019
【図２１】
2011018127.tif 000020
【図２２】
2011018127.tif 000021
【図２３】
2011018127.tif 000022
【図２４】
2011018127.tif 000023
【図２５】
2011018127.tif 000024
【図２６】
2011018127.tif 000025
【図２７】
2011018127.tif 000026
【図２８】
2011018127.tif 000027
【図２９】
2011018127.tif 000028
【図３０】
2011018127.tif 000029
【図３１】
2011018127.tif 000030
【図３２】
2011018127.tif 000031
【図２】
2011018127.tif 000032
【図３】
2011018127.tif 000033
【図４】
2011018127.tif 000034
【図３３】
2011018127.tif 000035
【図３４】
2011018127.tif 000036